(57)【要約】  本発明の実施形態は、オーディオ再生装置及びデバイスを開示する。オーディオ再生装置は、ラウドスピーカーと、ラウドスピーカー収容部と、キャビティ拡張材料と、を含み、ラウドスピーカー及びキャビティ拡張材料は、ラウドスピーカー収容部内に配置され、キャビティ拡張材料は、表面に不規則な穴を有するファイバーからなる生地であり、穴は生地のファイバー間に形成される。表面に不規則な穴を有するファイバーからなる生地は、オーディオ再生装置内に配置される。このようにすることで、オーディオ再生装置がオーディオを再生すると、生地のファイバー間の空隙及びファイバーの表面上の不規則な穴を使用することにより、オーディオ再生装置の共振周波数ｆ０が低下し、周波数帯域幅が増加する。
2020501398.tif 000002
【特許請求の範囲】
【請求項１】
ラウドスピーカーと、
ラウドスピーカー収容部と、
キャビティ拡張材料と、を含み、
前記ラウドスピーカー及び前記キャビティ拡張材料が前記ラウドスピーカー収容部内に配置され、
前記キャビティ拡張材料が、表面に不規則な穴を有するファイバーからなる生地であり、
異なる大きさの空隙が、前記生地のファイバー間に存在する、オーディオ再生装置。
【請求項２】
前記キャビティ拡張材料が、ニードリング方式のポリエステル多孔質ファイバーからなる不繊布生地であり、
前記生地のファイバー構造が、楕円形断面を有する短いファイバーである、請求項１に記載の装置。
【請求項３】
前記キャビティ拡張材料が、複合材料スピニング方式のポリエチレン多孔質ファイバーからなる生地、または機械織方式のフィラメントからなる生地であり、
前記生地のファイバー構造が、楕円形断面のスキンコア構造の長いファイバーである、請求項１に記載の装置。
【請求項４】
前記キャビティ拡張材料が、メルトブローン方式のグラスファイバーからなる不繊布生地であり、
前記生地のファイバー構造が、楕円形断面を有する短いファイバーである、請求項１に記載の装置。
【請求項５】
前記キャビティ拡張材料が、スパンレース方式のポリ乳酸多孔質ファイバーからなる生地であり、
前記生地のファイバー構造が、複合材料スピニング方式で織られた中空の短いファイバーである、請求項１に記載の装置。
【請求項６】
前記キャビティ拡張材料が、ニードリング方式の大豆多孔質ファイバーからなる生地であり、
前記生地のファイバー構造が、楕円形断面の短いファイバーである、請求項１に記載の装置。
【請求項７】
前記キャビティ拡張材料が、ニードリング方式の銀多孔質ファイバーからなる生地であり、
前記生地のファイバー構造が、楕円形断面の短いファイバーである、請求項１に記載の装置。
【請求項８】
前記キャビティ拡張材料が、ニット方式の、様々な種類のファイバーからなる混成ファイバーからなる生地であり、
前記生地のファイバー構造が、楕円形断面の短いファイバーであり、
前記様々な種類のファイバーが、具体的に、４０％の銀多孔質ファイバー、３０％のポリエステルファイバー、１０％の大豆ファイバー及び２０％のグラスファイバーを含む、請求項１に記載の装置。
【請求項９】
前記キャビティ拡張材料が、長いファイバー及び短いファイバーからなる生地であり、
前記生地がブレンディングを通して織られ、
前記生地のファイバー構造がＩ字型断面を有し、
前記長いファイバー及び短いファイバーからなる前記生地が、具体的に、３０％の長いポリエステルファイバーと、２０％の短いカーボンファイバーと、５０％のポリプロピレンファイバーと、を含む、請求項１に記載の装置。
【請求項１０】
デバイスであって、前記デバイスが携帯電話であり、前記携帯電話が、請求項１から９のいずれか一項に記載のオーディオ再生装置を含む、デバイス。
【請求項１１】
デバイスであって、前記デバイスがヘッドセットであり、前記ヘッドセットが、請求項１から９のいずれか一項に記載のオーディオ再生装置を含む、デバイス。
【発明の詳細な説明】
【技術分野】
【０００１】
本出願は、２０１６年１０月１７日に中華人民共和国国家知識産権局に出願され、「ＬＯＵＤＳＰＥＡＫＥＲ  ＡＰＰＡＲＡＴＵＳ  ＡＮＤ  ＴＥＲＭＩＮＡＬ」と題する中国特許出願第２０１６１０９０５８０３．０号及び、２０１６年１１月１８日に中華人民共和国国家知識産権局に出願され、「ＡＵＤＩＯ  ＰＬＡＹ  ＡＰＰＡＲＡＴＵＳ  ＡＮＤ  ＤＥＶＩＣＥ」と題する中国特許出願第２０１６１１０１８７５７．９号の優先権を主張し、それらはその全体が参照により本明細書に組み込まれている。
【０００２】
本発明の実施形態はオーディオデバイス技術の分野に関し、特に、オーディオ再生装置及びデバイスに関する。
【背景技術】
【０００３】
ラウドスピーカーの低周波数応答を改善し、豊かで平滑な音響効果を改善するために、ラウドスピーカーの共振周波数ｆ０は低下される必要があり、コンポーネントの周波数帯域幅が増加される必要がある。従来技術では、通常、２つの方法が存在する。第１の方法は、ラウドスピーカーがより大きなバックキャビティを有するように、ラウドスピーカーのバックキャビティを拡張すること、例えばサウンドボックスの外部寸法を増大することである。第２の方法は、キャビティ拡張材料を追加することである。キャビティ拡張材料は、ラウドスピーカーのバックキャビティの仮想拡張を改善するために追加される。第１の方法は、通常、大音量を有するラウドスピーカー、または音量が拡張されうるラウドスピーカーで使用される。しかし、バックキャビティを物理的に拡張することが困難であるラウドスピーカー、特にマイクロラウドスピーカーでは、通常、仮想キャビティ拡張が、キャビティ拡張材料を追加することによって実現される。
【０００４】
キャビティ拡張材料は、通常、天然ゼオライト、活性炭、及び様々な種類の発泡体などの多孔質で緩く通気性のある物体である。キャビティ拡張材料は、互いに接続された大量の貫通微小孔を有し、微小孔は、ある程度の通気性を有しうる。音波が多孔質材料の表面に入射すると、微小孔内で空気の振動が生じる。摩擦抵抗、空気の粘性抵抗及び熱伝導機能のために、かなりの量の音エネルギーが熱エネルギーに変換され、音を吸収し、キャビティを拡張しうる。
【０００５】
しかし、従来技術のキャビティ拡張材料には多くの問題がある。例えば、ゼオライト材料は、ミクロンサイズの小球に形成される。しかし、そのような種類の材料は強度が小さく、実際の使用時には破損しやすい。さらに、小球は専用のエンクロージャー／キャビティ内にパッケージされる必要があり、エンクロージャーは専用のカバーを使用してパッケージされなければならない。原材料は製造技術が複雑であり、強度が小さく、組み立ての困難性が高く、コストが高く、エンクロージャーを選択しなければならない。したがって、汎用性は低く、材料の応用には限界がある。
【発明の概要】
【課題を解決するための手段】
【０００６】
本発明の実施形態は、オーディオ再生装置及びデバイスを提供する。オーディオ再生装置またはデバイスのオーディオ再生装置に含まれるキャビティ拡張材料を使用することにより、共振周波数ｆ０が低下し、周波数帯域幅は増加しうる。
【０００７】
第１の態様によれば、本発明の実施形態は、オーディオ再生装置を提供する。オーディオ再生装置は、ラウドスピーカーと、ラウドスピーカー収容部と、キャビティ拡張材料と、を含む。ラウドスピーカー及びキャビティ拡張材料がラウドスピーカー収容部内に配置され、キャビティ拡張材料が、表面に不規則な穴を有するファイバーからなる生地であり、異なる大きさの空隙が、生地のファイバー間に存在する。表面に不規則な穴を有するファイバーからなる生地は、オーディオ再生装置内に配置される。生地のファイバー間の空隙及びファイバーの表面上の不規則な穴を使用することにより、オーディオ再生装置の共振周波数ｆ０が低下し、周波数帯域幅が増加する。
【０００８】
可能な設計において、ファイバーは有機物ファイバー、無機物ファイバー、金属ファイバー、セラミックファイバー、及び混成ファイバーのうちいずれか１つまたはその組み合わせである。
【０００９】
可能な設計において、ファイバーは長いファイバー及び／または短いファイバーである。
【００１０】
可能な設計において、ファイバーの断面形状は円形、Ｉ字型及び楕円形状のうちいずれか１つまたはその組み合わせである。
【００１１】
可能な設計において、ファイバーの中心構造は中空構造、固体構造及びスキンコア構造のうちいずれか１つまたはその組み合わせでありうる。
【００１２】
可能な設計において、ファイバーはニードリング、スパンレース、メルトブローン、及び熱間圧縮のうちいずれか１つで生地に形成される。
【００１３】
可能な設計において、キャビティ拡張材料は、スパンレース方式のポリエステル多孔質ファイバーからなる不繊布生地であり、生地のファイバー構造は、円形断面の短いファイバーである。
【００１４】
可能な設計において、キャビティ拡張材料が、ニードリング方式のポリエステル多孔質ファイバーからなる不繊布生地であり、生地のファイバー構造が、楕円形断面を有する短いファイバーである。
【００１５】
可能な設計において、キャビティ拡張材料が、複合材料スピニング方式のポリエチレン多孔質ファイバーからなる生地、または機械織方式のフィラメントからなる生地であり、生地のファイバー構造が、楕円形断面のスキンコア構造の長いファイバーである。
【００１６】
可能な設計において、キャビティ拡張材料が、メルトブローン方式のグラスファイバーからなる不繊布生地であり、生地のファイバー構造が、楕円形断面を有する短いファイバーである。
【００１７】
可能な設計において、キャビティ拡張材料が、スパンレース方式のポリ乳酸多孔質ファイバーからなる生地であり、生地のファイバー構造が、複合材料スピニング方式で織られた中空の短いファイバーである。
【００１８】
可能な設計において、キャビティ拡張材料が、ニードリング方式の大豆多孔質ファイバーからなる生地であり、生地のファイバー構造が、楕円形断面の短いファイバーである。
【００１９】
可能な設計において、キャビティ拡張材料が、ニードリング方式の銀多孔質ファイバーからなる生地であり、生地のファイバー構造が、楕円形断面の短いファイバーである。
【００２０】
可能な設計において、キャビティ拡張材料が、ニット方式の、様々な種類のファイバーを含む混成ファイバーからなる生地であり、生地のファイバー構造が、楕円形断面の短いファイバーである。
【００２１】
可能な設計において、様々な種類のファイバーが、具体的に、４０％の銀多孔質ファイバー、３０％のポリエステルファイバー、１０％の大豆ファイバー及び２０％のグラスファイバーを含む。
【００２２】
可能な設計において、キャビティ拡張材料が、長いファイバー及び短いファイバーからなる生地であり、生地がブレンディングを通して織られ、生地のファイバー構造がＩ字型断面を有する。
【００２３】
可能な設計において、長いファイバー及び短いファイバーからなる生地が、具体的に、３０％の長いポリエステルファイバーと、２０％の短いカーボンファイバーと、５０％のポリプロピレンファイバーと、を含む。
【００２４】
別の態様によれば、本発明の特定の実施形態はデバイスを提供する。デバイスは携帯電話であり、携帯電話は、第１の態様または第１の態様の可能な設計のいずれか１つで提供されたオーディオ再生装置を含む。オーディオ再生装置は携帯電話内に配置され、携帯電話がオーディオを再生すると、オーディオ再生装置の共振周波数ｆ０が低下し、周波数帯域幅が増加する。
【００２５】
別の態様によれば、本発明の特定の実施形態はデバイスを提供する。デバイスはヘッドセットであり、ヘッドセットは、第１の態様または第１の態様の可能な設計のいずれか１つで提供されたオーディオ再生装置を含む。オーディオ再生装置はヘッドセット内に配置され、ヘッドセットがオーディオを再生すると、オーディオ再生装置の共振周波数ｆ０が低下し、周波数帯域幅が増加する。
【００２６】
本発明の実施形態におけるオーディオ再生装置及びデバイスによれば、オーディオ再生装置について、表面上に不規則な穴を有するファイバーからなる生地がオーディオ再生装置内に配置される。このようにして、オーディオ再生装置がオーディオを再生すると、生地のファイバー間の空隙及びファイバーの表面上の不規則な穴を使用することによって、オーディオ再生装置の共振周波数ｆ０が低下し、周波数帯域幅が増加する。
【図面の簡単な説明】
【００２７】
【図１】本発明の特定の実施形態に従うオーディオ再生装置を示す。
【図２】本発明の特定の実施形態に従うファイバーの概略的な構造図である。
【図３】本発明の特定の実施形態に従う周波数と音圧レベルとの間の関係の曲線図である。
【図４】本発明の特定の実施形態に従うオーディオ再生装置を示す。
【図５】本発明の特定の実施形態に従う別のオーディオ再生装置を示す。
【図６】本発明の特定の実施形態に従う携帯電話の概略的な構造図である。
【発明を実施するための形態】
【００２８】
本発明の実施形態における技術的解決手段は、添付する図面及び実施形態を参照して詳細にさらに説明される。
【００２９】
本発明の特定の実施形態は、オーディオ再生装置及びオーディオ再生装置を含むデバイスを提供する。図１は、本発明の特定の実施形態に従うオーディオ再生装置を示す。図１に示されるように、オーディオ再生装置は、ラウドスピーカー１０２と、ラウドスピーカー収容部１０１と、キャビティ拡張材料１０３と、を含む。ラウドスピーカー１０２及びキャビティ拡張材料１０３は、ラウドスピーカー収容部１０１内に配置される。キャビティ拡張材料１０３は、ラウドスピーカーの共振周波数ｆ０が可能な限り低下され、コンポーネントの周波数帯域幅が増大されるように、ラウドスピーカー収容部１０１内に追加される。このようにすると、ラウドスピーカーの低周波数応答が改善され、豊かで平滑な音響効果が実現され、美しい音のための高い要求が満たされる。
【００３０】
図２は、本発明の特定の実施形態に従うファイバーの概略的な構造図である。図２に示されるように、ファイバーの表面は、異なる大きさの均一に分布した微小孔を含む。各ファイバー基材にはいくつかの微小孔が存在し、ファイバーからなる生地のファイバー間には空隙が存在し、そのため、３次元毛細管経路メッシュが自然に形成される。異なる大きさの微小孔が表面上に分布したファイバーに基づき、空気を吸収し、または解放するための無数の３次元空間が確立され、そのため実際のキャビティに類似した仮想空間が形成される。このようにして、本発明の特定の実施形態において提供されたファイバーからなる生地は、キャビティ拡張材料を形成する。本発明のこの特定の実施形態におけるファイバーからなる生地に関して、原材料のコストは低く、構築技術は単純であり、生地は汎用性がある。さらに、ラウドスピーカーは、より低い共振周波数ｆ０及びより大きな周波数帯域幅を有する。そのため、本発明の生地を含むオーディオ再生装置及びデバイスによれば、ラウドスピーカーの共振空間の仮想的拡張が実現され、音響効果が、ラウドスピーカー装置のバックキャビティを実際に拡張する方法におけるものと同じになる。
【００３１】
図３は、本発明の特定の実施形態に従う周波数と音圧レベルとの間の関係の曲線図である。図３に示されるように、水平軸は周波数を表し、垂直軸は音圧レベルを表す。曲線１は、ファイバー材料が追加されていない場合のラウドスピーカーの音圧レベル曲線を表す。曲線２は、表面上に不規則な穴を有するファイバー材料からなる生地が、キャビティ拡張材料として追加されたときの音圧レベル曲線を表す。曲線１及び２から、キャビティ拡張材料が追加されたオーディオ再生装置の周波数が８００Ｈｚよりも低い場合、オーディオ再生装置の音圧レベルが顕著に改善されることが分かりうる。キャビティ拡張材料が追加されたオーディオ再生装置の周波数が１３００Ｈｚよりも高い場合、オーディオ再生装置の音圧レベルが改善されうる。そのため、音圧レベルを改善することにより、共振周波数ｆ０が低下され、周波数帯域幅が増加される。
【００３２】
本発明のこの特定の実施形態において、ファイバーは、有機物ファイバー、無機物ファイバー、金属ファイバー、セラミックファイバーまたは混成ファイバーのうち１つまたは組合せを含む。ファイバーの表面は異なる大きさの離散的に分布した微小孔の構造である。生地のファイバーは、長いファイバーもしくは短いファイバー、またはその両方でありうる。ファイバーの断面形状は、円形、Ｉ型、楕円形などのうちいずれか１つまたは組合せを含む。ファイバーの中心構造は、中空構造、固体構造またはスキンコア構造でありうる。
【００３３】
本発明のこの実施形態におけるキャビティ拡張材料は、複数の加工方法のファイバーからなる生地でありうる。ファイバーの加工方法は、ニードリング、スパンレース（ｓｐｕｎｌａｃｅ）、メルトブローン（ｍｅｌｔ−ｂｌｏｗｎ）及び熱間圧縮などの加工技術でありえ、ファイバーは生地に加工される。
【００３４】
製造された生地は、不繊布生地、機械織生地、ニット生地などでありうる。大量の不規則に分布された貫通空隙または非貫通空隙が生地に存在し、空気流入口及び流出口に有益である。空気は吸収され、または解放されて仮想空間を形成し、ラウドスピーカーの共振空間の仮想拡張が実現される。ファイバー間の空隙及びファイバーの表面の孔を使用することにより、音響効果は、ラウドスピーカー装置のキャビティを実際に拡張する方法におけるものと同じになり、ラウドスピーカーの共振周波数ｆ０は効果的に低下され、コンポーネントの周波数帯域幅は効果的に増加され、より良好な音響性能を得る。
【００３５】
図４は、本発明の特定の実施形態に従うオーディオ再生装置を示している。図４に示されるように、オーディオ再生装置は、接続部分４０１と、キャビティ部分４０２と、を含む。接続部分４０１は、オーディオ再生装置と別の部分の構造とを接続するように構成される。キャビティ部分４０２は、上部キャビティ本体及び下部キャビティ本体を含み、接続部分４０１は下部キャビティ本体に接続され、ラウドスピーカーは、上部キャビティ本体及び下部キャビティ本体を用いることによって、１つのキャビティ内にパッケージされる。
【００３６】
キャビティ部分４０２は、第１の充填キャビティ４０４と、ラウドスピーカーキャビティ４０３と、音の出口部分４０６と、を含む。キャビティ拡張材料は第１の充填キャビティ４０４内に配置され、ラウドスピーカーは、ラウドスピーカーキャビティ４０３内に配置される。ラウドスピーカーの音声部分は音の出口部分４０６の反対側にあり、第２の充填キャビティ４０５が音の出口部分４０６にさらに配置され、キャビティ拡張材料が第２の充填キャビティ内に配置される。ラウドスピーカーが稼働すると、キャビティ拡張材料は第１の充填キャビティ４０４及び音の出口部分４０６の第２の充填キャビティ４０５を用いることによって配置され、ラウドスピーカーの共振周波数ｆ０が低下され、コンポーネントの周波数帯域幅が増加される。
【００３７】
図４に示されたオーディオ再生装置は、本発明のこの特定の実施形態における特定の実装の一例にすぎず、本発明に何らの限定も課さないことは注意されるべきである。
【００３８】
図５は、本発明の特定の実施形態に従う別のオーディオ再生装置を示している。図５に示されるように、オーディオ再生装置は、バックキャビティ５０１及びフロントキャビティ５０２を含む。バックキャビティ５０１は、凹部構造５０３である。凹部構造５０３はキャビティを物理的に拡張するために配置される。キャビティ拡張材料５０４は凹部構造５０３内に配置され、仮想キャビティ拡張が、キャビティ拡張材料５０４を使用することによって実現される。バックキャビティ５０１の上部は支持構造５０５をさらに含み、フロントキャビティ５０２は、支持構造５０５を使用することによってバックキャビティ５０１上に配置される。一例において、支持構造５０５は、バックキャビティ５０１の上部の縁に配置されうる。代替的に、キャビティ拡張材料は、バックキャビティ５０１全体の上部に配置された材料でありえ、この材料は通気される。例えば、材料は、前述のキャビティ拡張材料である。
【００３９】
フロントキャビティ５０２は、上部エンクロージャー５０８と、ラウドスピーカー５０６とを含む。上部エンクロージャー５０８はバックキャビティ５０１とともに密閉され、バックキャビティ５０１に接続される。ラウドスピーカー５０６は、バックキャビティ５０１の支持構造５０５上に配置される。上部エンクロージャー５０８は、音の出口部分５０７をさらに含む。本発明の特定の実施形態において、キャビティ拡張材料は、フロントキャビティ５０２内に配置されうる。本発明のこの特定の実施形態は、良好なオーディオ効果が得られるように提供されたキャビティ拡張材料の位置に何らの限定も課さない。
【００４０】
特定の実験が、本発明の前述の生地を含むオーディオ再生装置に対して実施される。
【００４１】
実施形態１：第１のオーディオ再生装置は、キャビティ拡張材料を含む。キャビティ拡張材料は、ポリエステル多孔質ファイバーによって形成され、断面は円形であり、ファイバーは短いファイバーである。音響キャビティ拡張材料は、スパンレース方式で不繊布生地に形成され、単位面積当たりの重量は０．０５０グラムである。第１のオーディオ再生装置の共振周波数は、キャビティ拡張材料が追加される前は８５０Ｈｚであり、キャビティ拡張材料が追加された後、共振周波数ｆ０は１００Ｈｚ低下する。キャビティ拡張材料が追加される前の５００Ｈｚの周波数における音圧レベル（ＳＰＬ，ｓｏｕｎｄ  ｐｒｅｓｓｕｒｅ  ｌｅｖｅｌ）は７４．５０ｄＢであり、キャビティ拡張材料が追加された後の５００Ｈｚの周波数における音圧レベル（ＳＰＬ）は０．６ｄＢ増加する。キャビティ拡張材料が追加される前の２０００Ｈｚの周波数における音圧レベル（ＳＰＬ）は８４．３ｄＢであり、キャビティ拡張材料が追加された後の２０００Ｈｚの周波数における音圧レベル（ＳＰＬ）は０．２５ｄＢ増加する。
【００４２】
実施形態２：第１のオーディオ再生装置はキャビティ拡張材料を含む。キャビティ拡張材料はポリエステル多孔質ファイバーによって形成され、断面は楕円形であり、ファイバーは短いファイバーである。音響キャビティ拡張材料は、ニードリング方式で生地に形成され、単位面積当たりの重量は０．０８グラムである。キャビティ拡張材料が追加される前の第１のオーディオ再生装置の共振周波数ｆ０は８８０Ｈｚであり、キャビティ拡張材料が追加された後の共振周波数は１１０Ｈｚだけ低下する。キャビティ拡張材料が追加される前の５００Ｈｚの周波数における音圧レベル（ＳＰＬ）は７３．６ｄＢであり、キャビティ拡張材料が追加された後の５００Ｈｚの周波数における音圧レベル（ＳＰＬ）は０．７０ｄＢ増加する。キャビティ拡張材料が追加される前の２０００Ｈｚの周波数における音圧レベル（ＳＰＬ）は８３．８ｄＢであり、キャビティ拡張材料が追加された後の２０００Ｈｚの周波数における音圧レベル（ＳＰＬ）は０．３０ｄＢだけ増加する。
【００４３】
実施形態３：第１のオーディオ再生装置はキャビティ拡張材料を含む。キャビティ拡張材料はポリエチレン多孔質ファイバーによって形成され、断面は楕円形であり、ファイバーはスキンコア構造である。音響キャビティ拡張材料では、フィラメントが複合材料スピニング方式で押し出され、生地は機械織方式で形成され、単位面積当たりの重量は０．１０グラムである。キャビティ拡張材料が追加される前の第１のオーディオ再生装置の共振周波数ｆ０は８３０Ｈｚであり、キャビティ拡張材料が追加された後の共振周波数ｆ０は９５Ｈｚ低下する。キャビティ拡張材料が追加される前の５００Ｈｚの周波数における音圧レベル（ＳＰＬ）は７４．１０ｄＢであり、キャビティ拡張材料が追加された後の５００Ｈｚの周波数における音圧レベル（ＳＰＬ）は０．７５ｄＢ増加する。キャビティ拡張材料が追加される前の２０００Ｈｚの周波数における音圧レベル（ＳＰＬ）は８３．５ｄＢであり、キャビティ拡張材料が追加された後の２０００Ｈｚの周波数における音圧レベル（ＳＰＬ）は０．３２ｄＢ増加する。
【００４４】
実施形態４：第１のオーディオ再生装置はキャビティ拡張材料を含む。キャビティ拡張材料はグラスファイバーから形成され、断面は楕円形であり、ファイバーは短いファイバーである。音響キャビティ拡張材料はメルトブローン方式で不繊布生地に形成され、単位面積当たりの重量は０．１２グラムである。キャビティ拡張材料が追加される前の第１のオーディオ再生装置の共振周波数ｆ０は８６０Ｈｚであり、キャビティ拡張材料が追加された後の共振周波数ｆ０は１２５Ｈｚ低下する。キャビティ拡張材料が追加される前の５００Ｈｚの周波数における音圧レベル（ＳＰＬ）は７２．５ｄＢであり、キャビティ拡張材料が追加された後の５００Ｈｚの周波数における音圧レベル（ＳＰＬ）は０．９０ｄＢ増加する。キャビティ拡張材料が追加される前の２０００Ｈｚの周波数における音圧レベル（ＳＰＬ）は８１．４ｄＢであり、キャビティ拡張材料が追加された後の２０００Ｈｚの周波数における音圧レベル（ＳＰＬ）は０．４５ｄＢ増加する。
【００４５】
実施形態５：第１のオーディオ再生装置はキャビティ拡張材料を含む。キャビティ拡張材料はポリ乳酸多孔質ファイバーによって形成され、構造は、複合材料スピニング方式によって織られた中空の短いファイバーである。音響キャビティ拡張材料は、スパンレース方式で生地に織られ、単位面積当たりの重量は０．０５グラムである。キャビティ拡張材料が追加される前の第１のオーディオ再生装置の共振周波数ｆ０は９００Ｈｚであり、キャビティ拡張材料が追加された後の共振周波数ｆ０は９５Ｈｚ低下する。キャビティ拡張材料が追加される前の５００Ｈｚの周波数における音圧レベル（ＳＰＬ）は７４．８ｄＢであり、キャビティ拡張材料が追加された後の５００Ｈｚの周波数における音圧レベル（ＳＰＬ）は０．０５ｄＢ増加する。キャビティ拡張材料が追加される前の２０００Ｈｚの周波数における音圧レベル（ＳＰＬ）は８４．８ｄＢであり、キャビティ拡張材料が追加された後の２０００Ｈｚの周波数における音圧レベル（ＳＰＬ）は０．２５ｄＢ増加する。
【００４６】
実施形態６：第１のオーディオ再生装置はキャビティ拡張材料を含む。キャビティ拡張材料は大豆多孔質ファイバーによって形成され、断面は楕円形であり、ファイバーは短いファイバーである。音響キャビティ拡張材料は、ニードリング方式によって生地に織られ、単位面積当たりの重量は０．０８グラムである。キャビティ拡張材料が追加される前の第１のオーディオ再生装置の共振周波数ｆ０は８９０Ｈｚであり、実験後、キャビティ拡張材料が追加された後の共振周波数ｆ０は１０５Ｈｚ低下する。キャビティ拡張材料が追加される前の５００Ｈｚの周波数における音圧レベル（ＳＰＬ）は７２．７ｄＢであり、キャビティ拡張材料が追加された後の５００Ｈｚの周波数における音圧レベル（ＳＰＬ）は０．６ｄＢ増加する。キャビティ拡張材料が追加される前の２０００Ｈｚの周波数における音圧レベル（ＳＰＬ）は８２．２０ｄＢであり、キャビティ拡張材料が追加された後の２０００Ｈｚの周波数における音圧レベル（ＳＰＬ）は０．３５ｄＢ減少する。
【００４７】
実施形態７：第１のオーディオ再生装置はキャビティ拡張材料を含む。キャビティ拡張材料は銀多孔質ファイバーによって形成され、断面は楕円形であり、ファイバーは短いファイバーである。音響キャビティ拡張材料はニット方式で生地に織られ、単位面積当たりの重量は０．１５グラムである。キャビティ拡張材料が追加される前の第１のオーディオ再生装置の共振周波数ｆ０は９４０Ｈｚであり、実験後、キャビティ拡張材料が追加された後の共振周波数ｆ０は１６０Ｈｚ低下する。キャビティ拡張材料が追加される前の５００Ｈｚの周波数における音圧レベル（ＳＰＬ）は７２．０ｄＢであり、キャビティ拡張材料が追加された後の５００Ｈｚの周波数における音圧レベル（ＳＰＬ）は０．９５ｄＢ増加する。キャビティ拡張材料が追加される前の２０００Ｈｚの周波数における音圧レベル（ＳＰＬ）は９２．９０ｄＢであり、キャビティ拡張材料が追加された後の２０００Ｈｚの周波数における音圧レベル（ＳＰＬ）は０．６５ｄＢ増加する。
【００４８】
実施形態８：第１のオーディオ再生装置は、キャビティ拡張材料を含む。キャビティ拡張材料は、様々な種類のファイバーからなる生地である。様々な種類のファイバーは、重量で、４０％の銀多孔質ファイバー、３０％のポリエステルファイバー、１０％の大豆ファイバー、及び２０％のグラスファイバーを含む。ファイバーの断面は楕円形であり、ファイバーは短いファイバーであり、単位面積当たりの重量は０．０８グラムである。音響キャビティ拡張材料はニット方式で生地に織られる。キャビティ拡張材料が追加される前の第１のオーディオ再生装置の共振周波数ｆ０は９１０Ｈｚであり、キャビティ拡張材料が追加された後の共振周波数ｆ０は１２０Ｈｚ低下する。キャビティ拡張材料が追加される前の５００Ｈｚの周波数における音圧レベル（ＳＰＬ）は７４．８ｄＢであり、キャビティ拡張材料が追加された後の５００Ｈｚの周波数における音圧レベル（ＳＰＬ）は０．８５ｄＢ増加する。キャビティ拡張材料が追加される前の２０００Ｈｚの周波数における音圧レベル（ＳＰＬ）は８５．２ｄＢであり、キャビティ拡張材料が追加された後の２０００Ｈｚの周波数における音圧レベル（ＳＰＬ）は０．５０ｄＢ増加する。
【００４９】
実施形態９：第１のオーディオ再生装置はキャビティ拡張材料を含む。キャビティ拡張材料は、長いファイバー及び短いファイバーからなる生地である。様々な種類のファイバーは、重量で３０％の長いポリエステルファイバー、２０％の短いカーボンファイバー、および５０％のポリプロピレンファイバーを含む。ファイバーの表面は多孔質構造であり、断面はＩ字形状であり、内側の部分は中空構造である。音響キャビティ拡張材料はブレンディングを通じて生地に織られ、単位面積当たりの重量は０．１０グラムである。キャビティ拡張材料が追加される前の第１のオーディオ再生装置の共振周波数ｆ０は９２５Ｈｚであり、キャビティ拡張材料が追加された後の共振周波数ｆ０は１１０Ｈｚ低下する。キャビティ拡張材料が追加される前の５００Ｈｚの周波数における音圧レベル（ＳＰＬ）は７４．２ｄＢであり、キャビティ拡張材料が追加された後の５００Ｈｚの周波数における音圧レベル（ＳＰＬ）は０．７５ｄＢ増加する。キャビティ拡張材料が追加される前の２０００Ｈｚの周波数における音圧レベル（ＳＰＬ）は８４．６ｄＢであり、キャビティ拡張材料が追加された後の２０００Ｈｚの周波数における音圧レベル（ＳＰＬ）は０．３６ｄＢ増加する。
【００５０】
複数の微小孔を含むファイバー及びファイバーから形成された生地がキャビティ拡張材料として使用される前述の実施形態から、共振周波数ｆ０が低下可能であることが分かりうる。ラウドスピーカーの共振空間の仮想拡張が実現されてもよく、音響効果は、ラウドスピーカー装置のバックキャビティを実際に拡張する方法におけるものと同じである。
【００５１】
本発明のこの特定の実施形態において、ファイバーからなる生地を含むオーディオ再生装置は、オーディオ再生装置を必要とする比較的小さな体積のデバイスに追加されうる。例えば、デバイスは携帯電話でありうる。
【００５２】
デバイスが携帯電話である場合、ラウドスピーカー収容部は、携帯電話の利用可能な空間に応じて設計される。ラウドスピーカー及びキャビティ拡張材料は、ラウドスピーカーに配置される。
【００５３】
図６は、本発明の特定の実施形態に従う携帯電話の概略的な構造図である。図６に示されるように、携帯電話６０１はディスプレイスクリーン６０３と、プロセッサと、通信モジュールと、電源と、カメラと、オーディオ再生装置６０２とを含む。電源は、携帯電話６０１の稼働を連続的にサポートする。通信モジュールは、携帯電話６０１と別のデバイスとの間で情報を伝送するように構成されてもよく、通信モジュールは、ベースバンド通信モジュール、ブルートゥース通信モジュール、ＮＦＣ（Ｎｅａｒ  Ｆｉｅｌｄ  Ｃｏｍｍｕｎｉｃａｔｉｏｎ、近距離場通信）モジュールなどを含んでもよいがこれらに限定されない。プロセッサは、携帯電話６０１へのデータ入力または携帯電話６０１からのデータ出力を処理するように構成される。携帯電話からのデータ出力は、ディスプレイスクリーン６０３を使用することによって表示され、オーディオ再生装置６０２を使用することによって再生され、または同時に、ディスプレイ６０３を使用することによって表示され、かつオーディオ再生装置６０２を使用することによって再生されてもよい。オーディオ再生装置６０２は、（図４及び５に示されるように）前述のオーディオ再生モジュールのいずれか１つであってもよく、（図２に示されるように）前述のファイバーからなる生地を含む任意の別のオーディオ再生装置であってもよい。
【００５４】
別の例において、デバイスは代替的にヘッドセットでありうる。デバイスがヘッドセットである場合、ラウドスピーカー収容部はヘッドセットの筐体である。ラウドスピーカー及びキャビティ拡張材料は、ヘッドセットの筐体内に配置される。
【００５５】
ラウドスピーカー収容部内のキャビティ拡張材料の具体的な位置及びキャビティ拡張材料の具体的な大きさは、ラウドスピーカー収容部の実際の形状および大きさに整合させる必要があることに注意すべきである。これは本発明では限定されない。
【００５６】
前述の特定の実施形態において、本発明の目的、技術的解決手段及び利益は、さらに詳細に説明される。前述の説明は本発明の単なる特定の実施形態であるが、本発明の保護範囲を限定することを意図されたものではないことは理解すべきである。本発明の思想及び原理から逸脱することなくなされた任意の改変、等価な置換、または改良は、本発明の保護範囲に含まれるべきである。
【符号の説明】
【００５７】
１０１  ラウドスピーカー収容部
１０２  ラウドスピーカー
１０３  キャビティ拡張材料
４０１  接続部分
４０２  キャビティ部分
４０３  ラウドスピーカーキャビティ
４０４  第１の充填キャビティ
４０５  第２の充填キャビティ
４０６  音の出口部分
５０１  バックキャビティ
５０２  フロントキャビティ
５０５  支持構造
５０６  ラウドスピーカー
５０７  音の出口部分
５０８  上部エンクロージャー
６０１  携帯電話
６０２  オーディオ再生装置
６０３  ディスプレイスクリーン
【図１】
2020501398.tif 000003
【図２】
2020501398.tif 000004
【図３】
2020501398.tif 000005
【図４】
2020501398.tif 000006
【図５】
2020501398.tif 000007
【図６】
2020501398.tif 000008
【手続補正書】
【提出日】令和1年5月15日(2019.5.15)
【手続補正１】
【補正対象書類名】特許請求の範囲
【補正対象項目名】全文
【補正方法】変更
【補正の内容】
【特許請求の範囲】
【請求項１】
ラウドスピーカーと、
ラウドスピーカー収容部と、
キャビティ拡張材料と、を含み、
前記ラウドスピーカー及び前記キャビティ拡張材料が前記ラウドスピーカー収容部内に配置され、
前記キャビティ拡張材料が、表面に不規則な穴を有するファイバーからなる生地であり、
異なる大きさの空隙が、前記生地のファイバー間に存在する、オーディオ再生装置。
【請求項２】
前記キャビティ拡張材料が、ニードリング方式のポリエステル多孔質ファイバーからなる不繊布生地であり、
前記生地のファイバー構造が、楕円形断面を有するファイバーである、請求項１に記載の装置。
【請求項３】
前記キャビティ拡張材料が、複合材料スピニング方式のポリエチレン多孔質ファイバーからなる生地、または機械織方式のフィラメントからなる生地であり、
前記生地のファイバー構造が、楕円形断面のスキンコア構造のファイバーである、請求項１に記載の装置。
【請求項４】
前記キャビティ拡張材料が、メルトブローン方式のグラスファイバーからなる不繊布生地であり、
前記生地のファイバー構造が、楕円形断面を有するファイバーである、請求項１に記載の装置。
【請求項５】
前記キャビティ拡張材料が、スパンレース方式のポリ乳酸多孔質ファイバーからなる生地であり、
前記生地のファイバー構造が、複合材料スピニング型の中空のファイバーである、請求項１に記載の装置。
【請求項６】
前記キャビティ拡張材料が、ニードリング方式の大豆多孔質ファイバーからなる生地であり、
前記生地のファイバー構造が、楕円形断面のファイバーである、請求項１に記載の装置。
【請求項７】
前記キャビティ拡張材料が、ニードリング方式の銀多孔質ファイバーからなる生地であり、
前記生地のファイバー構造が、楕円形断面のファイバーである、請求項１に記載の装置。
【請求項８】
前記キャビティ拡張材料が、ニット方式の、様々な種類のファイバーからなる混成ファイバーからなる生地であり、
前記生地のファイバー構造が、楕円形断面のファイバーであり、
前記様々な種類のファイバーが、具体的に、４０％の銀多孔質ファイバー、３０％のポリエステルファイバー、１０％の大豆ファイバー及び２０％のグラスファイバーを含む、請求項１に記載の装置。
【請求項９】
前記キャビティ拡張材料が、ブレンディング型の様々な長さを有するファイバーからなる生地であり、
前記生地のファイバー構造がＩ字型断面を有し、
前記ファイバーからなる前記生地が、具体的に、３０％のポリエステルファイバーと、前記ポリエステルファイバーより短い２０％のカーボンファイバーと、５０％のポリプロピレンファイバーと、を含む、請求項１に記載の装置。
【請求項１０】
デバイスであって、前記デバイスが携帯電話であり、前記携帯電話が、請求項１から９のいずれか一項に記載のオーディオ再生装置を含む、デバイス。
【請求項１１】
デバイスであって、前記デバイスがヘッドセットであり、前記ヘッドセットが、請求項１から９のいずれか一項に記載のオーディオ再生装置を含む、デバイス。
【国際調査報告】
2020501398.tif 000009
2020501398.tif 000010
2020501398.tif 000011
2020501398.tif 000012